(57)【要約】  起動モード（ＭＳ）において、起動時刻（ｔ３、ｔ１３）において、電源変換器（１１）が動作を開始する。起動時刻（ｔ３、ｔ１３）から所定の時間（Ｔ２、Ｔ１２）の後、電源変換器（１１）の出力電圧（Ｖｏ）が所望の値を持つか否かがチェックされる。否であれば保護モード（Ｍ３）に入り、そうでなければ通常動作モード（Ｍ２）に入る。通常動作モード（Ｍ２）の間、出力電圧（Ｖｏ）の降下が発生しているか否かがチェックされる。そうであれば、最初に、電源変換器（１１）がオフモード（Ｍ１）にされる。次いで、電源変換器（１１）は起動モード（ＭＳ）にされる。再起動の後、出力電圧（Ｖｏ）が所望の値を持つ場合には、このとき検出された出力電圧（Ｖｏ）の降下は電源変換器（１１）の入力部における電源電圧（Ｖｍ）の降下によるものである見込みが高く、通常動作モード（Ｍ２）が再開されることができる。再起動の後、出力電圧（Ｖｏ）が所望の値を持たない場合には、このとき検出された出力電圧（Ｖｏ）の降下は障害によるものである見込みが高く、保護モード（Ｍ３）に入る。このとき、電源変換器（１１）は起動モード（ＭＳ）に入ることを完全に許可されないか、又は比較的長い時間の後にのみ許可される。
2007504799.tif 000002
【特許請求の範囲】
【請求項１】
出力電圧を生成する電源変換器を有し起動モード及び通常動作モードを持つ電源システムを制御する方法であって、前記方法は前記起動モードの間、
起動時刻において前記電源変換器を起動するステップと、
前記起動時刻から第１の所定の時間の後のチェック時刻において、前記出力電圧のレベルをチェックするステップと、
前記チェック時刻において前記出力電圧のレベルが所定のレベルを下回る場合に保護モードに入るように、そうでなければ前記通常動作モードに入るように、前記電源変換器を制御するステップと、
を有し、前記方法は前記通常動作モードの間、
前記出力電圧のレベルが前記所定のレベルより下に降下しているか否かをチェックするステップと、
前記チェックが前記出力電圧のレベルが前記所定のレベルより下に降下していることを示す場合に、オフモードを得るために前記電源変換器をスイッチオフ時刻においてスイッチオフするステップと、
前記スイッチオフ時刻の後の再起動時刻において前記起動モードに入るステップと、
を有する方法。
【請求項２】
前記再起動時刻は、前記スイッチオフ時刻から第２の所定の時間の後である、請求項１に記載の電源システムを制御する方法。
【請求項３】
前記保護モード中は、前記電源変換器が前記起動モードに入ることを防ぐステップを更に有する、請求項１に記載の電源システムを制御する方法。
【請求項４】
前記保護モード中は、別の所定の時間の間、前記電源変換器が前記起動モードに入ることを防ぐステップを更に有する、請求項１に記載の電源システムを制御する方法。
【請求項５】
前記保護モードの間、前記電源変換器は完全にスイッチオフされるか、又は低減出力電圧モードにある、請求項１に記載の電源システムを制御する方法。
【請求項６】
前記電源システムは、供給電圧として前記出力電圧を受信する回路を更に有し、前記方法は、
前記スイッチオフするステップに入る前に、保存された情報を得るため、オンモードの間に前記回路の動作状態についての情報を保存するステップと、
前記電源変換器を起動するステップの間又は前記電源変換器を起動するステップの後に、前記保存された情報を前記回路に供給するステップと、
を更に有する、請求項１に記載の電源システムを制御する方法。
【請求項７】
前記電源変換器が前記通常動作モードにある場合にフラグを設定するステップと、
外部命令による前記電源変換器のスイッチオフのときに前記フラグをリセットするステップと、
前記フラグの状態をチェックするステップと、
前記出力電圧のレベルのチェックが、前記出力電圧が前記所定のレベルを上回っていることを示し、且つ前記フラグの状態のチェックが、前記フラグが設定されていることを示す場合にのみ、前記保存された情報を前記回路に供給するステップと、
を更に有する、請求項６に記載の電源システムを制御する方法。
【請求項８】
前記電源変換器が前記通常動作モードにある場合にフラグを設定するステップと、
外部命令による前記電源変換器のスイッチオフのときに前記フラグをリセットするステップと、
前記フラグの状態をチェックするステップと、
前記出力電圧のレベルのチェックが、前記出力電圧が前記所定のレベルを上回っていることを示し、且つ前記フラグの状態のチェックが、前記フラグがリセットされていることを示す場合、デフォルトの動作情報を前記回路に供給するステップと、
を更に有する、請求項６に記載の電源システムを制御する方法。
【請求項９】
出力電圧を生成する電源変換器を有し起動モード及び通常動作モードを持つ電源システムであって、
前記起動モードの起動時刻において電源変換器を起動する手段と、
前記起動時刻から第１の所定の時間の後のチェック時刻において、前記出力電圧のレベルをチェックする手段と、
前記チェック時刻において前記出力電圧のレベルが所定のレベルを下回る場合に保護モードに入るように、そうでなければ前記通常動作モードに入るように、前記電源変換器を制御する手段と、
前記通常動作モードの間、前記出力電圧のレベルが前記所定のレベルより下に降下しているか否かをチェックするように構成されたチェック手段と、
前記通常動作モードの間、前記チェック手段が前記出力電圧のレベルが前記所定のレベルより下に降下していることを示す場合に、オフモードを得るために前記電源変換器をスイッチオフ時刻においてスイッチオフする手段と、
前記スイッチオフ時刻の後の再起動時刻において前記起動モードに入る手段と、
を有する電源システム。
【請求項１０】
請求項９に記載の電源システムと、電源電圧として前記出力電圧を受信する回路とを有する電子機器。
【請求項１１】
前記電源システムは保存手段を更に有し、前記制御する手段は、前記スイッチオフする手段が前記電源変換器をスイッチオフする前に、保存された情報を得るためオンモードの間前記回路の動作状態についての情報を保存するように前記保存手段を制御するように構成され、前記制御する手段は更に、前記起動する手段が前記電源変換器を再起動する間に又は再起動した後に、前記回路に前記保存された情報を供給するように構成された、請求項１０に記載の電子機器。
【発明の詳細な説明】
【技術分野】
【０００１】
本発明は、電源システムを制御する方法、電源変換器を有する電源システム及び電源システムを有する電子機器に関する。
【背景技術】
【０００２】
テレビジョン受信器においては、ユーザコマンドを受信するための、及びシステムの機能を制御するためのマイクロプロセッサを有する主制御ユニットを利用することが一般的である。主制御器はまた、テレビジョン受信器の回路によって必要とされる電源電圧を供給する電源変換器を有する電源変換システムを制御するために利用され得る。十分に定義されたオン−オフのシーケンスが必要とされる場合、前記制御は電源変換器のオン／オフの切り換えの瞬間の制御を含む。前記制御はまた、受信器の起動及びスイッチオフの振舞を最適化するため、及び電源変換器又は電源変換器に接続された回路が障害を起こした場合に受信器の安全を保証するために、電源変換器の出力電圧を監視することをも含み得る。
【発明の開示】
【発明が解決しようとする課題】
【０００３】
電源変換システムを制御するための、相反する設計基準が存在する。第１には、前記受信器は、可能な限り少ない障害又はユーザインタラクションで、電源変換システムの電源入力において、電源電圧の降下（電源低下とも呼ばれる）に対処すべきである。かような電源低下は、電源電圧のレベルをチェックするために電源変換システムの入力に接続された電源入力検出回路を用いて検出される。第２には、電源変換システムの出力電圧が基準レベルを下回る場合（出力低下の発生とも呼ばれる）、主制御器は、該出力低下が電源低下によるものか否かを検出するべきである。主制御器は、電源変換器の障害を反映する出力低下と、電源低下による出力低下とを見分ける必要がある。電源変換器の障害が検出された場合、主制御器は、安全な状況が存在する保護モードに受信器を設定するべきである。通常、保護モードにおいては、電源変換システムはスイッチオフされ、スイッチオンされることを完全に禁止されるか又は比較的長い時間の間禁止される。
【０００４】
従って、主制御器が受信器を保護モードに正常に設定した場合には、ユーザは、比較的長い時間受信器が不必要にスイッチオフされるという問題、又は受信器を再起動するために幾つかの動作をとる必要があるという問題に直面する。
【０００５】
本発明の目的は、一方で電源低下の際の振舞と、他方で電源システムの障害の際の振舞との、改善された両立を提供する電源システムを提供することにある。
【課題を解決するための手段】
【０００６】
本発明の第１の態様は、請求項１に記載の電源システムを制御する方法を提供する。本発明の第２の態様は、請求項９に記載の電源変換器を有する電源システムを提供する。本発明の第３の態様は、請求項１０に記載の電源システムを有する電子機器を提供する。有利な実施例は、従属請求項において定義される。
【０００７】
本発明の第１の態様による電源システムは、幾つかのモードで動作することが可能な電源変換器を有する。オフモードにおいては、前記電源変換器は、スイッチオフされゼロ電圧を供給するか、又は低出力電圧が利用可能であるスタンバイ状態にある。起動モードにおいては、前記電源変換器は、通常動作モードに入るべく起動している。前記通常動作モードにおいては、前記電源変換器は、所望の公称値を持つ出力電圧を供給する。保護モードにおいては、前記電源変換器は、起動モードに入ることを完全に防止されるか、又は十分長い時間の間禁止される。
【０００８】
前記起動モードは、前記電源変換システムを有する機器が動作を開始すべきであることを示すユーザによって、起動時に始動されても良い。前記電源変換器は、前記起動時に動作を開始する。前記起動時から所定の時間の後、前記電源変換器の出力電圧が所望の値を持つか否かがチェックされる。否であれば保護モードに入り、そうでなければ通常動作モードに入る。
【０００９】
前記通常動作モードの間、前記出力電圧の降下が発生しているか否かがチェックされる。発生している場合には、前記電源変換器は最初にオフモードに入り、次いで前記電源変換器を再起動するために起動モードが開始される。前記電源変換器の再起動の後、前記出力電圧が所望の値を持つ場合には、前に検出された前記出力電圧の降下は前記電源変換器の入力部における電源電圧の降下によるものであった見込みが高く、前記通常動作モードが再開されることができる。前記再起動の後、前記出力電圧が所望の値を持たない場合には、前に検出された前記出力電圧の降下は障害によるものであった見込みが高く、前記保護モードに入る。このとき前記電源変換器は、前記起動モードに入ることを完全に許可されないか、又は比較的長い時間の後にのみ許可される。
【００１０】
既知のアルゴリズムとの違いは、（ｉ）前記保護モードに入ることを制御する障害検出が、前記起動モードの間のみアクティブにされ、オンモードの間はアクティブにされないこと、及び（ii）オンモードの間に検出される出力電圧降下は、常に前記電源変換器の再起動に導き、前記保護モードには導かない。
【００１１】
本発明による電源変換システムは、電源変換器の入力部における電源電圧についての情報を必要としない。電源入力検出回路は、電源電圧の値の広がりのため、複雑な回路である。受信器が異なる電源電圧の範囲（例えば２３０Ｖ及び１１０Ｖ）に対処することが可能であるべき場合には、該広がりはとりわけ大きくなる。更に、テレビジョン受信器において一般に利用されているような電源が分離された電源変換システム又は他の電源供給される消費者向け電子機器においては、電源入力検出器は電源の分離を短絡させる必要がある。このことは、前記電源変換器の電源絶縁されていない側において電源電圧を感知し、前記電源変換器の電源絶縁された側における主制御器へ前記感知の結果を示す信号を供給することが可能であることが必要とされる。電源分離の間のこの追加的な短絡は、安全性のリスクを増大させ、ＥＭＣ（Electro Magnetic Compatibility）認証を阻害する。なぜなら、追加の電流が電源分離の障壁を越えて該短絡を流れるからである。
【００１２】
請求項３に記載の本発明による実施例においては、前記電源システムは、保護モードに入ると該保護モードのまま留まる。前記システムの再起動は、ユーザ割り込みの後、又はシステムの修復の後にのみ可能となり得る。この方法は、障害の起きたシステムにおいて危険な状況が発生することを防止する。
【００１３】
請求項４に記載の本発明による実施例においては、前記保護モードに入った後、前記電源システムは、起動モードに入る前に所定の時間待機する。通常、該所定の時間は、比較的長い。該比較的長い所定の時間の後、前記システムは自動的に障害が依然として存在するかをチェックする。所定の回数の再起動の後に障害が依然として存在する場合は、前記システムは該システムを再起動する試みを中止するように決定しても良い。この方法は、障害が例えば過熱によるものであった場合に有利となり得る。幾分かの時間の後、前記システムが冷却されたときに、該システムは問題なく動作し得る。前記比較的長い時間は、出力降下が検出された時点から、前記電源変換器が再起動される再起動時までの時間よりも、かなり長いべきである。
【００１４】
請求項５に記載の本発明による実施例においては、前記電源変換器が前記保護モードにおいて完全にスイッチオフされる。このことは、最も安全なモードである。代替として前記電源変換器は、前記システムが前記保護モードにあることをユーザに示唆することが可能であり、可能であれば前記システムを再起動させることが可能であるのに十分なレベルを持つ少なくとも１つの電圧が存在する、低減出力モードで動作しても良い。
【００１５】
請求項６に記載の本発明による実施例においては、回路の動作状態についての情報が、前記電源変換器が前記オフモードに入る前に保存される。該情報は、例えば明るさ、コントラスト、番組チャネル又はその他のテレビジョン受信器又は他の電源供給される電子機器の制御可能な機能のような、ユーザ定義されたものであっても良い。前記保存された情報は、前記起動モードの間又は前記起動モードの後に、前記出力電圧の降下が検出される前の回路の状態を復元するために利用される。このことは、ユーザが干渉する必要がなく、出力降下が検出される前に存在した状況を前記システム自体が復元するという利点を持つ。
【００１６】
請求項７に記載の本発明による実施例においては、前記システムは更に、前記通常動作モードに入ったことを示すフラグを設定する。該フラグは、外部命令により前記オフモードに入った場合にリセットされる。通常、前記外部命令は、前記システムをスイッチオフすること、又は前記システムをスタンバイ状態に設定することを示すユーザ命令である。電源降下又は障害のために前記電源変換器が再起動した場合、前記フラグはリセットされない。従って、前記リセットの後前記出力電圧が所望の値を持つことが検出され、且つ前記フラグがリセットされていない場合には、このことは前記電源変換器が再起動していることを意味し、出力電圧の降下が検出される前の状況についての保存された情報が、後続する通常動作モードにおいて利用される。
【００１７】
請求項８に記載の本発明による実施例においては、前記システムは更に、前記通常動作モードに入ったことを示すフラグを設定する。該フラグは、外部命令により前記オフモードに入った場合にリセットされる。電源降下又は障害のために前記電源変換器が再起動した場合、前記フラグはリセットされない。従って、前記リセットの後前記出力電圧が所望の値を持つことが検出され、且つ前記フラグがリセットされている場合には、前記電源変換器が出力電圧降下ではなく外部命令により起動していることがわかる。ここでは、デフォルトの設定が、起動モードの間に利用される。前記デフォルトの設定は、メモリに保存されていても良い。出力電圧が所望のレベルを持つことが検出された後に前記デフォルトの値を入力することも可能である。
【００１８】
前記電子機器は、テレビジョン受信器、又は例えばモニタ、ＤＶＤプレイヤ若しくはオーディオアンプのような電源で動作するその他の電子製品であっても良い。
【００１９】
本発明のこれらの及び他の態様は、以下に記載実施例を参照しながら説明され、明らかとなるであろう。
【発明を実施するための最良の形態】
【００２０】
異なる図における同一の参照記号は、同一の機能を持ち同様に動作する同一のアイテムを指す。
【００２１】
図１は、本発明の実施例による電源システムを制御する方法のフロー図を示す。前記システムは、起動モード即ち起動フェーズＭＳに、２つの異なる支路Ｂ１又はＢ２を介して入り得る。第１の支路Ｂ１には、ユーザが前記システムを起動する命令を供給した場合に入る。第２の支路Ｂ２には、通常動作モードＭ２の間に出力電圧Ｖｏのレベルの降下が検出された後に、本アルゴリズムによって自動的に入られる。
【００２２】
状態Ｓ０において、前記システムはオフモードＭ１にある。オフモードＭ１においては、前記システムは、例えば電源システムが電源入力電圧Ｖｍを受信しないように電源スイッチを遮断することにより、完全にスイッチオフされても良い。代替としては、オフモードＭ１において、前記システムはスタンバイ状態であっても良い。電源システムは、スタンバイモードの間は、出力電圧が通常動作モードＭ２におけるよりも低いレベルを持つ低減電力モードにある、単一の電源変換器（図示されていない）を有しても良い。出力電圧の１つは、図３に示された回路Ｌｏ及びプロセッサ３の一部をアクティブにするために適切な高いレベルを持つ。これらの回路のアクティブな部分は、通常動作モードＭ２が望ましいことを示すユーザ命令を検出することが可能であり、通常動作モードＭ２を得るために電源変換器を起動することが可能である。代替として、前記電源システムは、幾つかの電源変換器１０、１１（図３を参照）を有する電源変換システム１を有しても良い。電源電圧ＳＶを供給する電源変換器１０は、オフモードＭ１の間アクティブである。他方の電源変換器１１は、起動モード即ちフェーズＭＳの間アクティブであり、出力電圧Ｖｏを供給する。電源電圧ＳＶは、スタンバイ状態の間電力を必要とする回路３及び４に供給される。
【００２３】
以下、例としてのみ、これら２つの電源変換器１０及び１１が存在する状況に関して前記電源システムの動作が説明される。単一の電源変換器が利用される場合にも、同様のアルゴリズムが可能である。
【００２４】
例えばユーザ命令により、状態Ｓ０におけるオフモードＭ１が残されるべき場合には、支路Ｂ１に入り、ステップＳ１において、起動モードＭＳがアクティブにされる。電源変換器１１は動作を開始する。このことは、出力電圧Ｖｏが増加することを意味する。本アルゴリズムはステップＳ２に進み、ここで起動モードＭＳがアクティブにされてから所定の時間の後に出力電圧Ｖｏのレベルがチェックされる。該チェック時点において出力電圧Ｖｏのレベルが正常である場合、ステップＳ３に進み、そうでなければステップＳ９に進む。ステップＳ２は、出力電圧Ｖｏのレベルを基準レベルＶｒと比較する。出力電圧Ｖｏのレベルが基準レベルＶｒよりも高い場合、出力電圧Ｖｏのレベルは正常な公称値を持つと見なされる。
【００２５】
ステップＳ９において電源変換器１１はスイッチオフされ、ステップＳ１０において保護モードに入る。
【００２６】
任意のステップＳ３において、前記システムは所望の状態へと起動され、ステップＳ１１において、前記システムが通常動作中となる通常動作モードＭ２が到達される。ステップＳ３における前記起動は、通常動作モードＭ２において望ましい又は必要とされる動作条件を設定するために必要とされ得る。ステップＳ１２において、前記システムがユーザ命令又は他の外部命令ＥＣによりスイッチオフされるべきであるか否かがチェックされ、そうであれば、本アルゴリズムはステップＳｏに進む。
【００２７】
前記システムが通常動作モードＭ２にある場合、ステップＳ７において、出力電圧Ｖｏのレベルが所望の値を持つかがチェックされる。該チェックは好ましくは、出力電圧Ｖｏの降下が発生した場合に迅速に対応することが可能であるように、連続的に又は短い時間内に断続的に実行される。出力電圧Ｖｏの降下が検出されない限り、前記システムは通常動作モードＭ２に留まる。出力電圧Ｖｏの降下が検出された場合、ステップＳ８において前記システムはスイッチオフされる。ここで、前記システムはステップＳ１３においてオフモードＭ１に入り、本アルゴリズムは支路Ｂ２を介してステップＳ１に進む。本アルゴリズムは上述したようにステップＳ１に進み、電源変換器１１が起動（ここでは実際には再起動）され起動フェーズＭＳに入る。ステップＳ２において、出力電圧Ｖｏが正常なレベルを持つかがチェックされる。そうであれば、出力電圧Ｖｏの降下は電源降下によるものであった見込みが高く、前記システムは通常動作モードＭ２に入ることができる。否であれば、出力電圧Ｖｏの降下は障害によるものであった見込みが高く、ステップＳ９において、電源変換器１１は保護モードＭ３へと設定される。
【００２８】
図２は、本発明の実施例による電源システムを制御する方法の別のフロー図を示す。図１において利用された参照記号と等しい図２において用いられている参照記号は、同一の機能を持ち同様に動作する。図２に示されたアルゴリズムの、図１に示されたアルゴリズムに対する相違は、ステップＳ４及びＳ５が追加されたこと、並びにステップＳ３が２つのステップＳ３０及びＳ３１に分割されたことである。更に、ステップＳ１１において、通常動作モードＭ２が到達されたことを示すフラグが設定され、ステップＳ１２において、外部命令ＥＣが電源変換器１１がスイッチオフされた理由であることを示すために前記フラグがリセットされる。
【００２９】
ステップＳ７において、出力電圧Ｖｏの降下が検出された場合、ステップＳ５において、ステップＳ８において前記システムがスイッチオフされる前に、回路Ｌｏ及び／又は前記システムの動作状態についての情報ＳＩ（図３を参照）が例えばメモリ４（図３を参照）に保存される。該保存された情報ＳＩは、通常動作モードＭ２における、回路Ｌｏ及び／又は前記システムの振舞を定義する。
【００３０】
ステップＳ２において、出力電圧Ｖｏが正常なレベルを持つことが検出された場合、ステップＳ４において、前記フラグの状態がチェックされる。前記フラグが依然として設定されている場合、本アルゴリズムはステップＳ１３のオフモードＭ１から再起動を実行し、ステップＳ３０において回路Ｌｏ及び／又は前記システムが保存された情報ＳＩを用いて始動され、ステップＳ１１において通常動作モードＭ２に入る。前記フラグがリセットされている場合、本アルゴリズムはステップＭ０のオフモードＭ１からコールドスタート（cold start）を実行し、ステップＳ３１において回路Ｌｏ及び／又は前記システムがデフォルトの情報ＤＩを用いて始動され、ステップＳ１１において通常動作モードＭ２に入る。前記デフォルトの情報もまた、メモリ４に保存されても良い。前記デフォルト情報は好ましくは、回路Ｌｏ及び／又は前記システムの良く知られた動作状態を定義する。
【００３１】
図３は、本発明の実施例による電源システムのブロック図を示す。
【００３２】
前記電源システムは、電源変換システム１を有する。電源変換システム１は、ＡＣ入力電圧Ｖｍを受信し電源電圧ＳＶを供給する電源変換器又は調整器１０と、出力電圧Ｖｏを供給する電源変換器又は調整器１１と、イネーブル／ディスエーブル回路１２とを有する。破線は、電源変換システム１のライフ（life）部分ＬＰと電源分離部分ＭＳＰとの間の分離を示す。ライフ部分ＬＰは、電源変換システム１の電源分離されていない部分である。
【００３３】
前記電源システムは更に、制御器３、メモリ４、出力レベル検出器２及び負荷回路Ｌｏを有する。
【００３４】
本発明による本実施例においては、電源変換システム１は、電源変換システム１の通常動作モードＭ２の間は存在すべきであり、電源変換システム１のオフモードＭ１の間はアクティブでないべきである出力電圧Ｖｏを供給する、電源変換器１１を有する。電源変換器１０は、オフモードＭ１の間制御器３及びメモリ４をアクティブに維持するために、オフモードＭ１の間電源電圧ＳＶを供給する必要がある。出力電圧Ｖｏは、負荷回路Ｌｏ及び出力レベル検出器２に供給される。
【００３５】
出力レベル検出器２は、出力電圧Ｖｏのレベルが基準レベルＶｒを超えているか否かを示す検出信号ＤＳを供給するため、出力電圧Ｖｏのレベルを所定の基準レベルＶｒと比較する。制御器３は、検出信号ＤＳを受信し、イネーブル／ディスエーブル回路１２にオン−オフ制御信号ＯＯＣＳを供給する。通常、制御器３は、図１及び２に関して議論されたような本発明による実施例の１つのアルゴリズムを実行するマイクロプロセッサ３０を有する。例えばテレビジョン受信器のような電子機器においては、該マイクロプロセッサは、ユーザ命令を処理し、前記システムの負荷回路Ｌｏのような回路を制御する主プロセッサであっても良い。
【００３６】
制御器３は、保存される情報ＳＩを保存及び取得するため、メモリ４と通信する。
【００３７】
前記システムの動作は、図１及び図２に関して既に説明されている。それ故、ここでは動作は手短に以下に説明される。図１及び２の説明におけるモードを変更するために制御される電源変換器は、図３においては電源変換器１１であることは留意される必要がある。電源変換器１１がオンモードＭ２にある場合、出力レベル検出器２は出力電圧Ｖｏのレベルを監視する。制御器３は、出力電圧Ｖｏのレベルが基準レベルＶｒよりも下に降下したか否かをチェックするため、出力レベル検出器２から検出信号ＤＳを受信する。制御器３が、出力電圧Ｖｏのレベルが基準レベルＶｒよりも下に降下したことを示す検出信号ＤＳを受信した場合、制御器３は最初に情報ＳＩを保存し、次いで電源変換器１１をスイッチオフするようにイネーブル／ディスエーブル回路１２を制御するためのオン／オフ制御信号ＯＯＣＳを供給する。所定の時間の後、制御器３は、起動フェーズＭＳを開始するため、電源変換器１１をスイッチオンするようにイネーブル／ディスエーブル回路１２を制御するためのオン／オフ制御信号ＯＯＣＳを供給する。所定の時間の後、制御器３は、検出信号ＤＳが出力電圧Ｖｏが所望のレベルを持つことを示すか否かをチェックする。そうであれば、制御器３は、保存された情報ＳＩを取得し、該情報を回路Ｌｏ及び／又は前記システムに供給する。ここでは、電源変換器１１は通常動作モード１２にある。否である場合は、制御器３は、電源変換器１１をスイッチオフするようにイネーブル／ディスエーブル回路１２を制御するためのオン／オフ制御信号ＯＯＣＳを供給する。ここで保護モードＭ３に入る。制御器３は、電源変換器１１の再起動を完全に許可しないか、又は比較的長い時間内許可しない。該比較的長い時間は少なくとも、出力電圧Ｖｏのレベルの降下が検出された後にスイッチオフされたときの電源変換器１１がオフモードＭ１にある時間よりも長い。
【００３８】
図４は、本発明の実施例による電源システムのブロック図を示す。本ブロック図は、図３に示されたブロック図に基づく。出力レベル検出器２は省略されている。ここでは、制御器３は、アナログ−ディジタル変換器３１を有する。アナログ−ディジタル変換器３１は、出力電圧Ｖｏを受信し、出力電圧Ｖｏのレベルのディジタル表現ＤＲを供給する。制御器３は、出力電圧Ｖｏが所望のレベルを持つかをチェックするために、該ディジタル表現ＤＲを利用する。基準レベルＶｒはここではメモリ４に保存されていても良い。アナログ−ディジタル変換器３１は、図３に示されたマイクロプロセッサ３０の一部であっても良い。
【００３９】
更に、デフォルト情報ＤＩが前記メモリに保存される。デフォルト情報ＤＩの使用は、図２に関して説明されている。
【００４０】
図４に示された電源システムの実施例は、図３に示された実施例と同様に動作する。唯一の差は、制御器３が、出力電圧Ｖｏの降下を検出するために、出力レベル検出器２の出力信号ＤＳではなく、アナログ−ディジタル変換器３０を利用する点である。
【００４１】
図５は、本発明による電源システムの実施例におけるイベントのフローを示すタイミング図を示す。図５Ａは、時間ｔに対する、電源電圧Ｖｍのレベルを示す。図５Ｂは、時間ｔに対する、出力電圧Ｖｏのレベルを示す。図５は、電源降下が発生した場合のアルゴリズムを説明する。
【００４２】
時刻ｔ０においては、前記電源システムは通常動作モードＭ２にあり、電源電圧Ｖｍは公称値Ｖｍｎを持ち、出力電圧Ｖｏは公称値Ｖｏｎを持つ。時刻ｔ１において、電源電圧Ｖｍが降下し始める。続いて、時刻ｔ２において、出力電圧Ｖｏのレベルが、基準値Ｖｒよりも下に降下する。制御器３は、電源変換器１１をスイッチオフし、所定の時間Ｔ１の間電源変換器１１をスイッチオフされたままに維持する。該所定の時間Ｔ１は、電源電圧Ｖｍの降下の予期される継続時間よりも長く選択される。所定の時間Ｔ１は、時刻ｔ２からｔ３まで継続し、オフモード即ちフェーズＭ１と呼ばれる。かくして、通常動作モードＭ２は、時刻ｔ０から時刻ｔ２まで継続する。該所定の時間Ｔ１の後、制御器３は、時刻ｔ３において電源変換器１１を再起動する。所定の時間Ｔ２の後、時刻ｔ４において、制御器３は、出力電圧Ｖｏが基準レベルＶｒよりも高いレベルを持つかをチェックする。所定の時間Ｔ２は、時刻ｔ３からｔ４まで継続し、起動モード又はフェーズＭＳと呼ばれる。該時間Ｔ２は、電源変換器１１が障害なく動作する場合に、電源変換器１１が出力電圧Ｖｏを安定させるために十分長く選択される。時刻ｔ４において出力電圧Ｖｏのレベルが基準レベルＶｒよりも高いため、制御器３は、障害は存在せず、継続が許可される通常動作モードＭ２が存在することを知る。
【００４３】
図６は、本発明による電源システムの実施例におけるイベントのフローを示すタイミング図を示す。図６Ａは、時間ｔに対する、電源電圧Ｖｍのレベルを示す。図６Ｂは、時間ｔに対する、出力電圧Ｖｏのレベルを示す。図６は、障害が発生した場合のアルゴリズムを説明する。
【００４４】
時刻ｔ１０においては、前記電源システムは通常動作モードＭ２にあり、電源電圧Ｖｍは公称値Ｖｍｎを持ち、出力電圧Ｖｏは公称値Ｖｏｎを持つ。時刻ｔ１１において、障害が発生し、出力電圧Ｖｏのレベルを降下させる。一方、電源電圧Ｖｍは依然として公称値Ｖｍｎを持つ。続いて、時刻ｔ１２において、出力電圧Ｖｏのレベルが、基準値Ｖｒよりも下に降下する。制御器３は、電源変換器１１をスイッチオフし、所定の時間Ｔ１１の間電源変換器１１をスイッチオフされたまま維持する。該所定の時間Ｔ１１は、電源電圧Ｖｍの降下の予期される継続時間よりも長く選択される。所定の時間Ｔ１１は、時刻ｔ１２からｔ１３まで継続し、オフモード即ちフェーズＭ１と呼ばれる。かくして、通常動作モードＭ２は、時刻ｔ１０から時刻ｔ１２まで継続する。該所定の時間Ｔ１１の後、制御器３は、時刻ｔ１３において電源変換器１１を再起動する。所定の時間Ｔ１２の後、時刻ｔ１４において、制御器３は、出力電圧Ｖｏが所望のレベルを持つかをチェックする。所定の時間Ｔ１２は、時刻ｔ１３からｔ１４まで継続し、起動モード又はフェーズＭＳと呼ばれる。該時間Ｔ１２は、電源変換器１１が障害なく動作する場合に、電源変換器１１が出力電圧Ｖｏを安定させるために十分長く選択される。時刻ｔ１４において出力電圧Ｖｏのレベルが基準レベルＶｒよりも高くないため、制御器３は、障害が存在することを知り、電源変換器１１にスイッチオフするよう命令する。時刻ｔ１４において、保護モードＭ３に入る。このとき制御器３は、電源変換器１１の再起動を完全に許可しないか、又は比較的長い時間の間許可しない。
【００４５】
上述の実施例は本発明を限定するものではなく説明するものであって、当業者は添付する請求項の範囲から逸脱することなく多くの代替実施例を設計することが可能であろうことは留意されるべきである。
【００４６】
請求項において、括弧に挟まれたいずれの参照記号も、請求の範囲を限定するものとして解釈されるべきではない。動詞「有する（comprise）」及びその語形変化の使用は、請求項に記載されたもの以外の要素又はステップの存在を除外するものではない。要素に先行する冠詞「１つの（a又はan）」は、複数のかような要素の存在を除外するものではない。本発明は、幾つかの別個の要素を有するハードウェアによって、及び適切にプログラムされたコンピュータによって実装されても良い。幾つかの手段を列記した装置請求項において、これら手段の幾つかは同一のハードウェアのアイテムによって実施化されても良い。特定の手段が相互に異なる従属請求項に列挙されているという単なる事実は、これら手段の組み合わせが有利に利用されることができないことを示すものではない。
【図面の簡単な説明】
【００４７】
【図１】本発明の実施例による電源システムを制御する方法のフロー図を示す。
【図２】本発明の実施例による電源システムを制御する方法の別のフロー図を示す。
【図３】本発明の実施例による電源システムのブロック図を示す。
【図４】本発明の他の実施例による電源システムのブロック図を示す。
【図５（Ａ）】本発明による電源システムの実施例におけるイベントのフローを示すタイミング図を示す。
【図５（Ｂ）】本発明による電源システムの実施例におけるイベントのフローを示すタイミング図を示す。
【図６（Ａ）】本発明による電源システムの実施例におけるイベントのフローを示すタイミング図を示す。
【図６（Ｂ）】本発明による電源システムの実施例におけるイベントのフローを示すタイミング図を示す。
【図１】
2007504799.tif 000003
【図２】
2007504799.tif 000004
【図３】
2007504799.tif 000005
【図４】
2007504799.tif 000006
【図５Ａ】
2007504799.tif 000007
【図５Ｂ】
2007504799.tif 000008
【図６Ａ】
2007504799.tif 000009
【図６Ｂ】
2007504799.tif 000010
【国際調査報告】
2007504799.tif 000011
2007504799.tif 000012